(57)【特許請求の範囲】
【請求項１】
可撓性かつ不透液性の基材シートが、縦中心線で折曲されて互いに重なり合い、前記基材シートの上方から下方へ向かい前記縦中心線へ近づく縦方向接合縁部で接合されて前記下方へ向かって縦長先細りの袋を形成し、前記袋が、その上部にペニス挿入用の開口部と、前記袋の内部に取り付けられた可撓性の体液吸収性パネルとを備えた使い捨ての男性用尿取り袋において、
前記袋の周面部が、前記縦中心線と前記接合縁部との間の寸法を二分して縦方向へ延びる折曲案内部各々で折曲されて、前記折曲案内部の間に延びる前面部と前記折曲案内部各々から前記接合縁部へ延びる両側面部とに区分され、互いに離間する前記前面部と前記両側面部とに囲繞された中空部が、前記袋の内部に画成され、
前記開口部が、前記周面部の上端に沿って前記袋の上方へ開口する第１口部と、前記第１口部に連なり前記接合縁部に沿って前記縦方向と交差する前記袋の側方へ開口する第２口部とから形成され、
前記パネルが、可撓性かつ透液性の被覆シートと、前記被覆シートに包被された半剛性かつ吸液性のコアとから形成され、前記パネルが、前記第１口部と前記第２口部とを除く、前記袋の周面部に配置され、
前記前面部の中央に位置する前記パネルには、前記コアが存在しない部位が形成され、前記前面部の前記部位には、横方向へ延びる弾性伸縮性部材が伸長状態で取り付けられており、
前記袋を厚み方向へ圧搾することにより形成されて前記袋の外側へ向かって凸となる第１圧搾条溝が、前記縦中心線上と前記折曲案内部上とに延び、前記第１圧搾条溝が、前記パネルに形成されていることを特徴とする前記袋。
【請求項２】
前記第１口部と前記第２口部との少なくとも一方には、前記開口部の開口面積を調節することが可能な係着手段が形成されている請求項１記載の袋。
【請求項３】
前記前面部と前記両側面部との少なくとも一方には、前記第１口部に沿ってフィルム状の弾性伸縮性部材が伸長状態で取り付けられている請求項１または請求項２記載の袋。
【請求項４】
前記パネルが、可撓性かつ透液性の被覆シートと、前記基材シートと前記被覆シートとの間に介在する半剛性かつ吸液性のコアとから形成され、前記パネルが、前記第１口部と前記第２口部とを除く、前記袋の周面部に配置されている請求項１ないし請求項３いずれかに記載の袋。
【請求項５】
前記パネルが、前記基材シートに面する可撓性かつ不透液性の第１被覆シートと、前記基材シートの反対側に位置する可撓性かつ透液性の第２被覆シートと、前記第１被覆シートと前記第２被覆シートとの間に介在する半剛性かつ吸液性のコアとから構成され、前記パネルが、前記第１口部と前記第２口部とを除く、前記袋の周面部に配置されている請求項１ないし請求項３いずれかに記載の袋。
【請求項６】
前記袋を厚み方向へ圧搾することにより形成されて前記袋の内側へ向かって凸となる第２圧搾条溝が、前記前面部において前記縦中心線と前記折曲案内部との間で前記縦方向へ延び、かつ、前記両側面部において前記折曲案内部と前記接合縁部との間で前記縦方向へ延び、前記第２圧搾条溝が、前記基材シートと前記パネルとのうちの少なくとも前記パネルに形成されている請求項１ないし請求項５いずれかに記載の袋。
【請求項７】
前記折曲案内部に位置する前記パネルには、前記コアが存在しない部位と前記コアの厚みを相対的に薄くした部位とのうちのいずれかが形成されている請求項１ないし請求項６いずれかに記載の袋。
【請求項８】
前記第１口部の開口面積が、１〜１２ｃｍ２の範囲で調節可能である請求項１ないし請求項７いずれかに記載の袋。
【請求項９】
前記袋の周面部の上端から前記パネルまでの離間寸法が、５〜５０ｍｍの範囲にある請求項１ないし請求項８いずれかに記載の袋。
【発明の詳細な説明】
【０００１】
【発明の属する技術分野】
本発明は、寝たきりの病人や老人、失禁患者等に使用する使い捨ての男性用尿取り袋に関する。
【０００２】
【従来の技術】
特開平９−３８１２６号公報は、透液性表面シートと、不透液性裏面シートと、それらシートの間に介在する吸液性コアとから構成された縦長の男性用使い捨て尿取り袋を開示している。袋には、それらシートとコアとを貫通するペニス挿入孔が袋の一方の端縁に偏倚して形成されている。袋は、ペニスに合わせて案内線を適宜の長さだけ裂いてペニス挿入孔を作り、ペニスを挿入孔から袋の内部に挿入して使用する。
【０００３】
特開平９−３８１２７号公報は、透液性表面シートと不透液性裏面シートとの間に吸液性コアが介在する縦長の男性用使い捨て尿取り袋を開示している。袋には、袋の上端部から下端部へ向かって延びる凹欠部が形成されている。袋は、ペニスを凹欠部から袋の内部に挿入して使用する。
【０００４】
【発明が解決しようとする課題】
特開平９−３８１２６号公報と特開平９−３８１２７号公報とに開示の袋は、ペニスを袋の内部に挿入することができるように、挿入孔や凹欠部を開口させるとともに、袋の内部に空間を作らなければならない。開口と空間とを作るためには、袋の左右側部を袋の横方向内方へ押圧しながら、挿入孔や凹欠部を広げなければならない。袋は上下端部と左右側部とが互いに固着された扁平のものなので、押圧することをやめると内部の空間がすぐに塞がってしまう。
【０００５】
袋は、ペニス先端部を挿入孔や凹欠部から袋の内部へ差し込まなければならないので、挿入操作に手間取ることがある。また、袋は、その平面形状が矩形のものなので、袋の下端部が使用者の股間に適合せず、使用者に不快感を与えることがある。
【０００６】
本発明の課題は、内部に塞がり難い中空部が形成され、ペニスの挿入操作が簡単であり、下端部が使用者の股間に納まって不快感を与えることがない使い捨ての男性用尿取り袋を提供することにある。
【０００７】
【課題を解決するための手段】
前述した課題を解決するための本発明は、可撓性かつ不透液性の基材シートが、縦中心線で折曲されて互いに重なり合い、前記基材シートが、前記基材シートの上方から下方へ向かい前記縦中心線へ近づく縦方向接合縁部で接合されて前記下方へ向かって縦長先細りの袋を形成し、前記袋が、その上部にペニス挿入用の開口部と、前記袋の内部に取り付けられた可撓性の体液吸収性パネルとを備えた使い捨ての男性用尿取り袋を改良することにある。
【０００８】
改良に係る本発明が特徴とするところは、前記袋の周面部が、前記縦中心線と前記接合縁部との間の寸法を二分して縦方向へ延びる折曲案内部各々で折曲されて、前記折曲案内部の間に延びる前面部と前記折曲案内部各々から前記接合縁部へ延びる両側面部とに区分され、互いに離間する前記前面部と前記両側面部とに囲繞された中空部が、前記袋の内部に画成され、前記開口部が、前記周面部の上端に沿って前記袋の上方へ開口する第１口部と、前記第１口部に連なり前記接合縁部に沿って前記縦方向と交差する前記袋の側方へ開口する第２口部とから形成され、前記パネルが、可撓性かつ透液性の被覆シートと、前記被覆シートに包被された半剛性かつ吸液性のコアとから形成され、前記パネルが、前記第１口部と前記第２口部とを除く、前記袋の周面部に配置され、前記前面部の中央に位置する前記パネルには、前記コアが存在しない部位が形成され、前記前面部の前記部位には、横方向へ延びる弾性伸縮性部材が伸長状態で取り付けられており、前記袋を厚み方向へ圧搾することにより形成されて前記袋の外側へ向かって凸となる第１圧搾条溝が、前記縦中心線上と前記折曲案内部上とに延び、前記第１圧搾条溝が、前記パネルに形成されていることにある。
【０００９】
本発明は、以下の構成態様を有する。
（１）前記第１口部と前記第２口部との少なくとも一方には、前記開口部の開口面積を調節することが可能な係着手段が形成されている。
（２）前記前面部と前記両側面部との少なくとも一方には、前記第１口部に沿ってフィルム状の弾性伸縮性部材が伸長状態で取り付けられている。
（３）前記パネルが、可撓性かつ透液性の被覆シートと、前記基材シートと前記被覆シートとの間に介在する半剛性かつ吸液性のコアとから形成され、前記パネルが、前記第１口部と前記第２口部とを除く、前記袋の周面部に配置されている。
（４）前記パネルが、前記基材シートに面する可撓性かつ不透液性の第１被覆シートと、前記基材シートの反対側に位置する可撓性かつ透液性の第２被覆シートと、前記第１被覆シートと前記第２被覆シートとの間に介在する半剛性かつ吸液性のコアとから構成され、前記パネルが、前記第１口部と前記第２口部とを除く、前記袋の周面部に配置されている。
（５）前記袋を厚み方向へ圧搾することにより形成されて前記袋の内側へ向かって凸となる第２圧搾条溝が、前記前面部において前記縦中心線と前記折曲案内部との間で前記縦方向へ延び、かつ、前記両側面部において前記折曲案内部と前記接合縁部との間で前記縦方向へ延び、前記第２圧搾条溝が、前記基材シートと前記パネルとのうちの少なくとも前記パネルに形成されている。
（６）前記折曲案内部に位置する前記パネルには、前記コアが存在しない部位と前記コアの厚みを相対的に薄くした部位とのうちのいずれかが形成されている。
（７）前記第１口部の開口面積が、１〜１２ｃｍ２の範囲で調節可能である。
（８）前記袋の周面部の上端から前記パネルまでの離間寸法が、５〜５０ｍｍの範囲にある。
【００１０】
【発明の実施の形態】
添付の図面を参照して、本発明に係る使い捨ての男性用尿取り袋の詳細を説明すると、以下のとおりである。
【００１１】
図１，２は、前面部ｆ２の側から示す尿取り袋１の部分破断斜視図と、両側面部ｆ３，ｆ４の側から示す図１の袋１の斜視図とであり、図２では、開口部４を拡開して示す。袋１は、袋１を形成する可撓性かつ不透液性の基材シート２と、袋１の内部に取り付けられ、被覆シート３ａおよびコア３ｂからなる可撓性の体液吸収性パネル３とから構成されている。袋１は、その上部１ａから下部１ｂへ向かって縦長先細りのもので、袋１の下部１ｂが尖形状を呈する。袋１は、その上部１ａにペニス挿入用の開口部４を有する。
【００１２】
袋１は、縦中心線Ｙで折曲されて互いに重なり合う基材シート２が、基材シート２の上方から下方へ向かって縦中心線Ｙへ近づくように弧を画いて延びる縦方向接合縁部５で接合されたものである。袋１の周面部ｆ１には、縦中心線Ｙと接合縁部５との間の寸法を二分する折曲案内部６各々が縦方向へ延びている。
【００１３】
袋１の周面部ｆ１は、それら折曲案内部６で折曲され、折曲案内部６の間に延びる前面部ｆ２と、折曲案内部６と接合縁部５との間に延びる両側面部ｆ３，ｆ４とに区分されている。袋１の内部には、互いに離間する前面部ｆ２と両側面部ｆ３，ｆ４とで囲まれた中空部Ｓが画成されている。
【００１４】
前面部ｆ２では、その略中央において袋１の横方向へ延びる部位７にコア３ｂが存在せず、基材シート２の部分と被覆シート３ａの部分とが位置している。前面部ｆ２の部位７には、袋１の横方向へ延びる弾性伸縮性部材８が伸長状態で取り付けられている。部位７では、コア３ｂが存在していないので、部位７の剛性がコア３ｂが存在する領域の剛性と比較して小さい。
【００１５】
前面部ｆ２には、パネル３を厚み方向へ圧搾することにより形成された圧搾条溝９が縦中心線Ｙ上の略全長に亘って延びている。前面部ｆ２には、基材シート２とパネル３との両者を厚み方向へ圧搾することにより形成された圧搾条溝１０が縦中心線Ｙと折曲案内部６との間で縦方向へ延びている。両側面部ｆ３，ｆ４には、基材シート２とパネル３との両者を厚み方向へ圧搾することにより形成された圧搾条溝１３が縦中心線Ｙと折曲案内部６との間で縦方向へ延びている。
【００１６】
折曲案内部６では、その略中央において折曲案内部６に沿って延びる部位１１にコア３ｂが存在せず、基材シート２の部分と被覆シート３ａの部分とが位置している。折曲案内部６には、パネル３を厚み方向へ圧搾することにより形成された圧搾条溝１２が折曲案内部６の略全長に亘って延びている。
【００１７】
袋１の開口部４は、前面部ｆ２と両側面部ｆ３，ｆ４との上端に囲繞され、図２に矢印Ｍ１で示す袋１の上方へ開口する第１口部４ａと、接合縁部５の上端から第１口部４ａへ延びる両側面部ｆ３，ｆ４に囲繞され、第１口部４ａに連なって図２に矢印Ｍ２で示す袋１の側方へ開口する第２口部４ｂとから形成されている。開口部４では、折曲案内部６の近傍において前面部ｆ２の上端の一部と両側面部ｆ３，ｆ４の上端の一部とが互いに重なり合った状態で接合されている。
【００１８】
第１口部４ａには、前面部ｆ２の上端に沿って、袋１の横方向へ延びる弾性伸縮性部材１５が伸長状態で取り付けられ、両側面部ｆ３，ｆ４の上端に沿って、袋１の内部の側で互いに対向する帯状のメカニカルファスナが取り付けられている。側面部ｆ４の一方には、メカニカルファスナのうちのフック部材１４ａが取り付けられ、側面部ｆ３の他方には、メカニカルファスナのうちのループ部材１４ｂが取り付けられている。フック部材１４ａとループ部材１４ｂとは、互いに係脱可能であり、それら部材１４ｑ，１４ｂが係合することで、第１口部４ａの開口面積を１〜１２ｃｍ２の範囲で調節することができる。
【００１９】
図３，４は、図１のＡ−Ａ線断面図と、図２のＢ−Ｂ線矢視断面図とである。基材シート２は、シートが重なり合った二層のもので、接合縁部５では、基材シート２が図３の上方へ延出した状態で接合されている。パネル３は、半剛性かつ吸液性のコア３ｂが可撓性かつ透液性の被覆シート３ａに包被、接合されたものである。被覆シート３ａは、基材シート２に接着剤１７を介して間欠的に接合されている。パネル３は、第１，２口部４ａ，４ｂと接合縁部５の近傍とを除いて袋１の前面部ｆ２と両側面部ｆ３，ｆ４とに配置されている。
【００２０】
縦中心線Ｙ上と折曲案内部６上とに延びる圧搾条溝９，１２は、袋１の外側へ向かって凸となり、折曲案内部６を挟んで前面部ｆ２と両側面部ｆ３，ｆ４とに延びる圧搾条溝１０，１３は、袋１の内側へ向かって凸となっている。弾性部材１５は、基材シート２の間に介在し、基材シート２に伸長状態で取り付けられている。弾性部材８は、被覆シート３ａの間に介在し、被覆シート３ａに伸長状態で取り付けられている。
【００２１】
袋１は、折曲案内部６の部位１１にコア３ｂが存在しないので、袋１の周面部ｆ１を折曲案内部６で折曲することが容易である。また、前面部ｆ２の部位７にコア３ｂが存在しないので、前面部ｆ２が袋１を縦方向に二分する横中心線Ｘの近傍で折れ曲がり易く、袋１が前面部ｆ２を内側にして縦方向へ湾曲し易い。
【００２２】
袋１は、部位７に取り付けられた弾性部材８の収縮によって、前面部ｆ２が袋１の横方向内方へ引き寄せられるとともに、両側面部ｆ３，ｆ４も折曲案内部６において互いに近づくように引き寄せられる。ゆえに、前面部ｆ２と両側面部ｆ３，ｆ４とが互いに重なり合うことを防ぐことができ、袋１が扁平になってしまうことがない。
【００２３】
袋１の外側へ凸となって縦中心線Ｙ上に延びる圧搾条溝９は、前面部ｆ２を縦中心線Ｙの近傍で袋１の外側へ隆起させるように作用する。ゆえに、圧搾条溝９は、弾性部材８の収縮と相俟って、前面部ｆ２を袋１の横方向内方へ引き寄せることを容易にしている。
【００２４】
袋１の外側へ凸となって折曲案内部６上に延びる圧搾条溝１２は、袋１の両側面部ｆ３，ｆ４を互いに当接させる方向へ袋１の周面部ｆ１を折り曲げる作用を有する。ゆえに、圧搾条溝１２は、袋１の周面部ｆ１を折曲案内部６で折曲することを容易にしている。
【００２５】
袋１の内側へ凸となって前面部ｆ２と両側面部ｆ３，ｆ４とに延びる圧搾条溝１０，１３は、圧搾条溝１０の近傍で前面部ｆ２を袋１の内側へ凹ませるように作用するとともに、圧搾条溝１３の近傍で両側面部ｆ３，ｆ４を袋１の内側へ凹ませるように作用する。ゆえに、圧搾条溝１０，１３は、袋１の内部の中空部Ｓを塞がり難くしている。
【００２６】
袋１は、折曲案内部６の近傍における前面部ｆ２の上端の一部と両側面部ｆ３，ｆ４の上端の一部とが接合されているので、袋１の周面部ｆ１が折曲案内部６において折り返されてしまうことを防いでいる。
【００２７】
袋１は、袋１の周面部ｆ１の上端からパネル３までの離間寸法Ｌ１が５〜５０ｍｍの範囲にある。離間寸法Ｌ１が５ｍｍ未満では、使用時に袋１が動いた場合、その動きが開口部４へ容易に伝わってしまい、ペニスＰ（図６参照）が開口部４から外れてしまうことがある。離間寸法Ｌ１が５０ｍｍを超えると、ペニスＰの先端部がパネル３まで届かないことがあり、パネル３の尿吸収機能を充分に活用することができない。
【００２８】
図５は、展開した状態で示す図１の袋１の平面図である。袋１１は、図５に示す平面図から組み立てることができる。平面図では、基材シート２の内側にパネル３が配置され、パネル３の周縁部から周り方向外方へ基材シート２の周縁部が延出している。
【００２９】
基材シート２の周縁部には、横中心線Ｘの近傍から図の下方へ弧を画いて接合縁部５が延びている。横中心線Ｘの近傍から図の上方における基材シート２の周縁部には、縦中心線Ｙを中心として弾性部材１５が横方向へ延び、弾性部材１５の両側から横方向へシール部１６が延び、シール部１６のさらに両側にシール部１６からわずかに離間してフック部材１４ａとループ部材１４ｂとが横方向へ延びている。
【００３０】
パネル３では、コア３ｂの周縁から周り方向外方へ被覆シート３ａの周縁部が延びている。パネル３には、縦中心線Ｙ上と折曲案内部６上とに圧搾条溝９，１２が延び、折曲案内部６を挟んでパネル３の上方から下方へ向かってＶ字状に圧搾条溝１０，１３が延びている。パネル３には、折曲案内部６の略中央部に縦方向へ部位６が延び、縦中心線Ｙの略中央部に横方向へ部位７と部位７に位置する弾性部材８とが延びている。
【００３１】
図５に示す平面図から袋１を組み立てるには、基材シート２とパネル３とを縦中心線Ｙで折曲するとともに、折曲案内部６で折曲する。基材シート２とパネル３とを縦中心線Ｙと折曲案内部６とで折曲した後、基材シート２の周縁部を接合縁部５とシール部１６とで接合する。
【００３２】
袋１は、シール部１６の間とシール部１６および接合縁部５の間とに位置する基材シート２の周縁部を接合しないことにより、袋１に第１口部４ａと第２口部４ｂとが形成される（図１参照）。平面図では、折曲案内部６の間の部分が袋１の前面部ｆ２を形成し、折曲案内部６と接合縁部５との間の部分が袋１の両側面部ｆ３，ｆ４を形成する。
【００３３】
図６は、図１の袋１の使用状態を説明する図である。袋１は、前面部ｆ２の上端をペニスＰの付け根に位置させ、ペニスＰを第１口部４ａと第２口部４ｂとから袋１の内部に入れる。このとき、ペニスＰをそれら口部４ａ，４ｂから袋１の内部へ置くようにすればよく、開口部４から差し込む必要はないので、ペニスＰを袋１へ挿入する操作が容易である。ペニスＰを袋１の内部へ入れた後は、袋１の両側面部ｆ３，ｆ４の上端でペニスＰを包むようにして、両側面部ｆ３，ｆ４に取り付けられたフック部材１４ａとループ部材１４ｂとを互いに係合させる。
【００３４】
袋１をペニスＰに装着した後は、袋１の下部１ｂを使用者の股下部１ｂに位置させる。袋１は、その上部１ａから下部１ｂへ向かって先細形状を呈し、下部１ｂが尖形状なので、袋１の下部１ｂを使用者の股下部に位置させたときに、袋１の下部１ｂが使用者の股間に納まる。袋１は、袋１の前面部ｆ２が使用者の股下部１ｂに当接し、接合縁部５が使用者の股下に当たることがないので、接合縁部５が肌に当たることによる不快感がない。
【００３５】
図７，８は、前面部ｆ２の側から示す図１とは異なる態様の尿取り袋１の部分破断斜視図と、両側面部ｆ３，ｆ４の側から示す図７の袋１の斜視図とであり、図８では、開口部４を拡開して示す。袋１は、袋１を形成する可撓性かつ不透液性の基材シート２と、袋１の内部に取り付けられ、第１，第２被覆シート３ｃ、３ｄおよびコア３ｂからなる可撓性の体液吸収性パネル３とから構成されている。袋１は、その上部１ａから下部１ｂへ向かって縦長先細りのもので、袋１の下部１ｂが尖形状を呈し、袋１の上部１ａにペニス挿入用の開口部４を有する点において図１の袋１と同一である。
【００３６】
袋１は、その周面部ｆ１が折曲案内部６で折曲され、折曲案内部６の間に延びる前面部ｆ２と、折曲案内部６と接合縁部５との間に延びる両側面部ｆ３，ｆ４とに区分されている。袋１の内部には、互いに離間する前面部ｆ２と両側面部ｆ３，ｆ４とで囲まれた中空部Ｓが画成されている。
【００３７】
前面部ｆ２では、その略中央において袋１の横方向へ延びる部位７にコア３ｂが存在せず、基材シート２の部分と被覆シート３ｃ，３ｄ各々の部分とが位置している。前面部ｆ２の部位７には、袋１の横方向へ延びる弾性伸縮性部材８が伸長状態で取り付けられている。
【００３８】
前面部ｆ２には、縦中心線Ｙ上の略全長に亘って圧搾条溝９が延びるとともに、縦中心線Ｙと折曲案内部６との間で縦方向へ圧搾条溝１０が延びている。両側面部ｆ３，ｆ４には、縦中心線Ｙと折曲案内部６との間で縦方向へ圧搾条溝１３が延びている。折曲案内部６には、その略全長に亘って圧搾条溝１２が延びている。それら圧搾条溝９，１０，１２，１３は、パネル３を厚み方向へ圧搾することにより形成されている。
【００３９】
折曲案内部６では、その略中央において折曲案内部６に沿って延びる部位１１にコア３ｂが存在せず、基材シート２の部分と被覆シート３ｃ，３ｄ各々の部分とが位置している。
【００４０】
袋１の開口部４は、前面部ｆ２と両側面部ｆ３，ｆ４との上端に囲繞され、図８に矢印Ｍ１で示す袋１の上方へ開口する第１口部４ａと、接合縁部５の上端から第１口部４ａへ延びる両側面部ｆ３，ｆ４に囲繞され、第１口部４ａに連なって図８に矢印Ｍ２で示す袋１の側方へ開口する第２口部４ｂとから形成されている。開口部４では、折曲案内部６の近傍において前面部ｆ２の上端の一部と両側面部ｆ３，ｆ４の上端の一部とが互いに重なり合った状態で接合されている。
【００４１】
第１口部４ａには、前面部ｆ２の上端に沿って、袋１の横方向へ延びる弾性伸縮性部材１５が伸長状態で取り付けられている。第１口部４ａには、一方の側面部ｆ４の上端に沿って、袋１の内部の側にメカニカルファスナのうちの帯状のフック部材１４ａが取り付けられている。
【００４２】
図９は、図７のＣ−Ｃ線断面図である。基材シート２は、シートが重なり合った二層のもので、接合縁部５では、基材シート２が図９の上方へ延出した状態で接合されている。パネル３は、半剛性かつ吸液性のコア３ｂが基材シート２に面する可撓性かつ不透液性の第１被覆シート３ｃと基材シート２の反対側に位置する可撓性かつ透液性の第２被覆シート３ｄとに被覆、接合されたものである。第１被覆シート３ａは、基材シート２に接着剤１７を介して間欠的に接合されている。パネル３は、第１，２口部４ａ，４ｂと接合縁部５の近傍とを除いて袋１の前面部ｆ２と両側面部ｆ３，ｆ４とに配置されている。
【００４３】
縦中心線Ｙ上と折曲案内部６上とに延びる圧搾条溝９，１２は、パネル３の外側へ向かって凸となり、折曲案内部６を挟んで前面部ｆ２と両側面部ｆ３，ｆ４とに延びる圧搾条溝１０，１３は、パネル３の内側へ向かって凸となっている。弾性部材１５は、基材シート２の間に介在し、基材シート２に伸長状態で取り付けられている。弾性部材８は、被覆シート３ａの間に介在し、被覆シート３ａに伸長状態で取り付けられている。
【００４４】
図７の袋１を装着するには、ペニスＰを袋１の内部へ入れた後、側面部ｆ４が側面部ｆ３の上になるようにそれら側面部ｆ３，ｆ４を互い違いに重ね合わせてペニスＰを包み、フック部材１４ａを側面部ｆ３の外側に係合させる。図７の袋１は、不透液性の第１被覆シート３ｃが基材シート２に面しているので、パネル３に吸収された尿が第１被覆シート３ｃから基材シート２へ滲出することがなく、尿の漏れ防止を向上させることができる。
【００４５】
図１に示す袋１の基材シート２には、可撓性かつ疎水性の不織布を重ね合わせたもの、可撓性かつ不透液性のプラスチックフィルムを重ね合わせたもの、または、可撓性かつ疎水性の不織布と可撓性かつ不透液性のプラスチックフィルムとのラミネートシート、好ましくは通気不透液性のシートを重ね合わせたものが使用される。図７に示す袋１の基材シート２には、可撓性かつ疎水性の不織布を重ね合わせたもの、可撓性かつ疎水性の不織布と可撓性かつ不透液性のプラスチックフィルムとのラミネートシートであって、袋１の外側に不織布を位置させ、袋１の内側にプラスチックフィルムを位置させたものが使用される。
【００４６】
被覆シート３ａと第２被覆シート３ｄとには、不織布や開孔プラスチックフィルム等の可撓性かつ透液性のシート、好ましくは透液性であって親水性のシートが使用される。第１被覆シート３ｃには、可撓性かつ疎水性の不織布、可撓性かつ不透液性のプラスチックフィルム、または、可撓性かつ疎水性の不織布、好ましくは通気不透液性のシートが使用される。
【００４７】
不織布としては、エアースルー、スパンレース、ニードルパンチ、メルトブローン、サーマルボンド、スパンポンド、ケミカルボンド等の不織布を使用することができる。不織布の構成繊維としては、ポリオレフィン系、ポリエステル系、ポリアミド系、の各繊維、ポリエチレン／ポリプロピレンまたはポリエステルの複合繊維等を使用することができる。
【００４８】
コア３ｂは、主としてフラッフパルプと超吸収性ヒドロゲル粒子との混合物が圧縮されて、その全体がティシュペーパ等の透水性シート（図示せず）によって被覆されている。ゆえに、基材シート２と被覆シート３ａ，３ｃ，３ｄよりもその剛性が大きく、基材シート２と被覆シート３ａ，３ｃ，３ｄとの比較において半剛性である。弾性部材１５としては、弾性的に伸縮可能なシート状の、ポリウレタンフォーム、合成ゴムフォーム、ポリスチレンフォーム、または、弾性的に伸縮可能なウレタンフィルムのいずれかを使用することができる。
【００４９】
シート２，３ａ，３ｃ，３ｄの接合やコア３ｂの接合、弾性部材８，１５やメカニカルファスナの取り付け等には、ホットメルト接着剤等の接着剤や粘着剤の他に、ソニックシールやヒートシール等の熱融着の技術を利用することができる。
【００５０】
袋１は、前面部ｆ２の部位７と折曲案内部６の部位１１とにコア３ｂが介在し、それら部位７，１１に介在するコア３ｂの厚みがパネル３の他の領域に介在するコア３ｂの厚みよりも薄くなっていてもよい。コア３ｂの厚みが薄いそれら部位７，１１では、それら部位７，１１の剛性がパネル３のコア３ｂが存在する領域に比較して低いので、袋１の周面部ｆ１を折曲案内部６で折曲することが容易である。
【００５１】
袋１は、メカニカルファスナを第１口部４ａを形成する両側面部ｆ３，ｆ４の上端の他に、第２口部４ｂに延びる両側面部ｆ３，ｆ４に取り付けることもできる。また、折曲案内部６近傍における前面部ｆ２の上端と両側面部ｆ３，ｆ４の上端とを接合せず、折曲案内部６の近傍における前面部ｆ２の上端と両側面部ｆ３，ｆ４の上端とに沿ってメカニカルファスナを取り付けることもできる。
【００５２】
袋１には、メカニカルファスナの他に、止着テープと受止テープとを取り付けることもできる。止着テープとしては、プラスチックシートの外面に粘着剤が塗布され、粘着剤が剥離可能な剥離紙で被覆保護されているものを使用することができる。受止テープとしては、止着テープが粘着剤を介して係脱可能なプラスチックシートを使用することができる。
【００５３】
パネル３としては、コア３ｂが被覆シート３ａに包被されたものや第１被覆シート３ｃと第２被覆シート３ｄとに被覆されたものの他に、基材シート２と被覆シート３ａとの間にコア３ｂが介在するものであってもよい。
【００５４】
袋１は、図示はしていないが、前面部ｆ２を内側にして横中心線Ｘ近傍で二つ折りにされた状態で個袋に収納される。袋１は、前面部ｆ２の部位にコア３ｂが存在していないので、部位が案内となって、袋１を横中心線近傍で折曲し易い。袋１は、個袋から取り出し、袋１を横中心線Ｘ近傍で折り返して使用する。
【００５５】
【発明の効果】
本発明に係る使い捨ての男性用尿取り袋によれば、折曲案内部にコアが存在しないか、または、コアの厚みが相対的に薄くなっている部位が形成され、折曲案内部上に袋の外側へ凸となる圧搾条溝が形成されているので、折曲案内部において袋の周面部を折曲することが容易である。折曲案内部で折曲された周面部は、前面部と両側面部とに区分され、袋の内部に前面部と両側面部とで囲まれた中空部を画成することができる。
【００５６】
袋には、縦中心線Ｙ上に袋の外側へ凸となる圧搾条溝が延び、前面部の略中央に弾性部材が取り付けられているので、前面部を袋の横方向内方へ引き寄せることができ、袋の内部に中空部を形成し易い。前面部と両側面部とに袋の内側へ凸となる圧搾条溝が延びているので、袋の内部の中空部が塞がってしまうことを防ぐことができる。
【００５７】
袋は、開口部４が第１口部と第２口部とから形成されているので、袋の内部にペニスを挿入するときに、ペニスを開口部から袋の内部へ差し込むようにして挿入する必要はなく、ペニスを第１口部と第２口部とから袋の内部へ置くようにして入れることができ、挿入操作に手間取らない。
【００５８】
袋の下部が先細りなので、袋の使用時に下部を使用者の股下部に位置させると、下部が使用者の股間に納まる。接合縁部が使用者の肌に当接しないので、接合縁部が肌に当接することによる不快感がない。袋には、開口部に係着手段が形成されているので、開口部でペニスをしっかりと支持することができ、袋の内部に挿入されたペニスが袋から外れてしまうことがない。
【００５９】
折曲案内部の近傍における前面部の上端と両側面部の上端とが接合された袋は、袋の周面部が折曲案内部において折り返されてしまうことを防いでいるので、袋が扁平になって中空部が潰れてしまうことがない。
【図面の簡単な説明】
【図１】前面部の側から示す使い捨て尿取り袋の部分破断斜視図。
【図２】両側面部の側から示す図１の袋の斜視図。
【図３】図１のＡ−Ａ線断面図。
【図４】図１のＢ−Ｂ線矢視断面図。
【図５】展開した状態で示す図１の袋の平面図。
【図６】図１の袋の使用状態を説明する図。
【図７】前面部の側から示す図１とは異なる態様の尿取り袋の部分破断斜視図。
【図８】両側面部の側から示す図７の袋１の斜視図。
【図９】図７のＣ−Ｃ線断面図。
【符号の説明】
１              使い捨ての男性用尿取り袋
２              基材シート
３              体液吸収性パネル
３ａ            被覆シート
３ｂ            吸収性コア
３ｃ            第１被覆シート
３ｄ            第２被覆シート
４              開口部
４ａ            第１口部
４ｂ            第２口部
５              縦方向接合縁部
６              折曲案内部
７              部位
８              弾性伸縮性部材
９，１０        圧搾条溝
１１              部位
１２，１３        圧搾条溝
１４ａ            フック部材
１４ｂ            ループ部材
１５              弾性伸縮性部材
ｆ１              周面部
ｆ２              前面部
ｆ３，ｆ４        側面部
Ｌ１              寸法
Ｐ              ペニス
Ｓ              中空部
Ｙ              縦中心線
【図１】
0003815932.tif 000002
【図２】
0003815932.tif 000003
【図３】
0003815932.tif 000004
【図４】
0003815932.tif 000005
【図５】
0003815932.tif 000006
【図６】
0003815932.tif 000007
【図７】
0003815932.tif 000008
【図８】
0003815932.tif 000009
【図９】
0003815932.tif 000010